(57)【要約】【課題】記録媒体上の液滴にレーザ光を照射して液滴を乾燥させる際、画像の印字率とパターンの大きさを考慮せずに設定した照射強度でレーザ光を照射した場合と比較して、紙しわを軽減する。【解決手段】連続紙Ｐの乾燥領域を、大ピクセル１５２、小ピクセル１５４に分割し、それぞれのピクセルにおける、Ｃｉｎに対する必要平均照射エネルギーとを求め、各小ピクセル１５４の平均照射エネルギー設定値が、大ピクセル１５２の平均照射エネルギー設定値よりも小さい場合は、大ピクセル１５２で設定した平均照射エネルギーを採用し、各小ピクセル１５４の平均照射エネルギー設定値が、大ピクセル１５２の平均照射エネルギー設定値よりも大きい場合は、それぞれの平均照射エネルギーを採用して、各小ピクセル１５４の平均照射エネルギーを確定するようにしたため、非画像部と画像部との膨潤と収縮による「しわ」の発生が軽減される。【選択図】図８
2019181750.tif 000002
【特許請求の範囲】
【請求項１】
照射するレーザ光のエネルギーが各々制御可能で、画像の予め定めた領域に対して各々がレーザ光を照射する複数のレーザ素子と、
前記画像の領域に対して複数種類の分割パターン毎に印字率を計算し、計算した分割パターン毎の印字率に基づいて、分割パターン毎に、乾燥に必要なエネルギーを計算し、計算した分割パターン毎のエネルギーの中から、目的に応じて実行するエネルギーを選択し、レーザ光の平均照射エネルギーを制御する制御手段と、
を有する乾燥装置。
【請求項２】
前記複数種類の分割パターンが、前記画像の最小単位領域を設定し、分割パターン内の前記最小単位領域の数と選択位置の違いによって設定される請求項１記載の乾燥装置。
【請求項３】
前記複数種類の分割パターンが、前記分割パターンの形状の違い、分割パターンの縦横比の違い、及びラベリングアルゴリズムに基づく選択される前記最小単位領域の違いの少なくとも１つの違いを含んで設定される請求項２記載の乾燥装置。
【請求項４】
前記エネルギーの選択において、計算されたエネルギーの内、最大エネルギーを選択する請求項１〜請求項３の何れか１項記載の乾燥装置。
【請求項５】
前記エネルギーの選択において、計算されたエネルギーの内、最小エネルギーを選択する請求項１〜請求項３の何れか１項記載の乾燥装置。
【請求項６】
前記エネルギーの選択において、印字する画像の画質とエネルギーの省力化とに重みを設定し、計算された複数のエネルギーの中から、重みに応じたエネルギーを選択する請求項１〜請求項３の何れか１項記載の乾燥装置。
【請求項７】
前記レーザ光の平均照射エネルギーは、強度変調制御、及びパルス幅変調制御の何れか、或いは併用によって制御する請求項１〜請求項６の何れか１項記載の乾燥装置。
【請求項８】
コンピュータを、請求項１〜請求項７の何れか１項に記載の乾燥装置の各部として機能させるための乾燥プログラム。
【請求項９】
画像情報に応じて液滴を記録媒体に吐出する吐出手段と、
前記記録媒体を搬送する搬送手段と、
請求項１〜請求項７の何れか１項に記載の乾燥装置と、
前記吐出手段、前記搬送手段、及び前記乾燥装置を制御する制御手段と、
を備えた画像形成装置。
【発明の詳細な説明】
【技術分野】
【０００１】
本発明は、乾燥装置、乾燥プログラム、及び画像形成装置に関する。
【背景技術】
【０００２】
特許文献１には、累積エネルギーでフィッティングを行い、その後、紙送り方向のパターンを重ねて最大となるレーザパワーを採用することが記載されている。
【０００３】
特許文献２には、紫外線硬化インクジェット装置において、印字速度が異なる場合でも紫外線の照射強度が一定になるように紫外線照射源を制御することが記載されている。
【０００４】
特許文献３には、記録媒体の種類、印字速度、印字からレーザ照射までのインタバルを考慮してレーザ光の照射時間を制御することが記載されている。
【先行技術文献】
【特許文献】
【０００５】
【特許文献１】特開２０１８−００１５５６号
【特許文献２】特開２００４−１８８８９１号
【特許文献３】特開２０１５−１１２７９２号
【発明の概要】
【発明が解決しようとする課題】
【０００６】
印字率を考慮して平均照射エネルギーを制御する場合、非画像部と画像部の膨潤と収縮により、紙しわ（以下、単に「しわ」という場合がある）が生じることがある。
【０００７】
本発明は、記録媒体上の液滴にレーザ光を照射して液滴を乾燥させる際、画像の印字率とパターンの大きさを考慮せずに設定した照射強度でレーザ光を照射した場合と比較して、紙しわを軽減することができる乾燥装置、乾燥プログラム、及び画像形成装置を得ることが目的である。
【課題を解決するための手段】
【０００８】
請求項１に記載の乾燥装置は、照射するレーザ光のエネルギーが各々制御可能で、画像の予め定めた領域に対して各々がレーザ光を照射する複数のレーザ素子と、前記画像の領域に対して複数種類の分割パターン毎に印字率を計算し、計算した分割パターン毎の印字率に基づいて、分割パターン毎に、乾燥に必要なエネルギーを計算し、計算した分割パターン毎のエネルギーの中から、目的に応じて実行するエネルギーを選択し、レーザ光の平均照射エネルギーを制御する制御手段と、を有している。
【０００９】
請求項２に記載の発明は、前記請求項１に記載の発明において、前記複数種類の分割パターンが、前記画像の最小単位領域を設定し、分割パターン内の前記最小単位領域の数と選択位置の違いによって設定される。
【００１０】
請求項３に記載の発明は、前記請求項２に記載の発明において、前記複数種類の分割パターンが、前記分割パターンの形状の違い、分割パターンの縦横比の違い、及びラベリングアルゴリズムに基づく選択される前記最小単位領域の違いの少なくとも１つの違いを含んで設定される。
【００１１】
請求項４に記載の発明は、前記請求項１〜請求項３の何れか１項記載の発明において、前記エネルギーの選択において、計算されたエネルギーの内、最大エネルギーを選択する。
【００１２】
請求項５に記載の発明は、前記請求項１〜請求項３の何れか１項記載の発明において、前記エネルギーの選択において、計算されたエネルギーの内、最小エネルギーを選択する。
【００１３】
請求項６に記載の発明は、前記請求項１〜請求項３の何れか１項記載の発明において、前記エネルギーの選択において、印字する画像の画質とエネルギーの省力化とに重みを設定し、計算された複数のエネルギーの中から、重みに応じたエネルギーを選択する。
【００１４】
請求項７に記載の発明は、前記請求項１〜請求項６の何れか１項記載の発明において、前記レーザ光の平均照射エネルギーは、強度変調制御、及びパルス幅変調制御の何れか、或いは併用によって制御する。
【００１５】
請求項８に記載の発明に係る乾燥プログラムは、コンピュータを、乾燥装置の各部として機能させる。
【００１６】
請求項９に記載の発明に係る画像処理装置は、画像情報に応じて液滴を記録媒体に吐出する吐出手段と、前記記録媒体を搬送する搬送手段と、乾燥装置と、前記吐出手段、前記搬送手段、及び前記乾燥装置を制御する制御手段と、を備えている。
【発明の効果】
【００１７】
請求項１に記載の発明によれば、記録媒体上の液滴にレーザ光を照射して液滴を乾燥させる際、画像の印字率とパターンの大きさを考慮せずに設定した照射強度でレーザ光を照射した場合と比較して、紙しわを軽減することができる。
【００１８】
請求項２に記載の発明によれば、分割パターンを設定する基準を確立することができる。
【００１９】
請求項３に記載の発明によれば、同一画像であっても、分割パターンの違いにより、異なるエネルギーを選択することができる。
【００２０】
請求項４に記載の発明によれば、画質優先にエネルギーを選択することができる。
【００２１】
請求項５に記載の発明によれば、省エネ優先にエネルギーを選択することができる。
【００２２】
請求項６に記載の発明によれば、画質及び省エネを両立して、エネルギーを選択することができる。
【００２３】
請求項７に記載の発明によれば、レーザ光のエネルギーを、出力強度及び照射時間の少なくとも一方で調整することができる。
【００２４】
請求項８に記載の発明によれば、記録媒体上の液滴にレーザ光を照射して液滴を乾燥させる際、画像の印字率とパターンの大きさを考慮せずに設定した照射強度でレーザ光を照射した場合と比較して、紙しわを軽減することができる。
【００２５】
請求項９に記載の発明によれば、記録媒体上の液滴にレーザ光を照射して液滴を乾燥させる際、画像の印字率とパターンの大きさを考慮せずに設定した照射強度でレーザ光を照射した場合と比較して、紙しわを軽減することができる。
【図面の簡単な説明】
【００２６】
【図１】インクジェット記録装置の主要構成部の一例を示す概略構成図である。
【図２】レーザ乾燥装置のレーザ照射面の一例を示す図である。
【図３】用紙幅方向の画像形成領域とレーザ素子ブロックとの位置関係の一例を示す図である。
【図４】複数のレーザ素子によるレーザ照射領域の一例を示す図である。
【図５】インクジェット記録装置における電気系の要部構成の一例を示す図である。
【図６】領域（パターンサイズ）の違いによる、平均照射エネルギーが及ぼす影響（ここでは、「しわ」グレード）の関係を示す実験例であり、（Ａ）は実験対象のパターンを示す連続紙Ｐの正面図、（Ｂ）は各パターンを異なるレーザエネルギーで乾燥した場合の「しわ」グレードの評価特性図である。
【図７】図６の搬送方向寸法が１０ｍｍ及び搬送方向寸法が１００ｍｍのパターンを用いた、Ｃｉｎ（インク滴量）−必要平均照射エネルギー特性曲線である。
【図８】（Ａ）は異なる大きさ（大ピクセル及び小ピクセル）で領域分割した連続紙Ｐの平面図、（Ｂ）はそれぞれの領域におけるＣｉｎ−レーザエネルギー特性曲線である。
【図９】本実施の形態における乾燥処理の流れの一例を示すフローチャートである。
【図１０】（Ａ）及び（Ｂ）は、変形例１に係り、異なる大きさ（大ピクセル及び小ピクセル）で領域分割した連続紙Ｐの平面図である。
【図１１】変形例２に係り、（Ａ）は異なる大きさ（大領域、小領域及び最小領域）で領域分割した連続紙Ｐの平面図、（Ｂ）はそれぞれの領域におけるＣｉｎ−レーザエネルギー特性曲線である。
【図１２】変形例２における乾燥処理の流れの一例を示すフローチャートである。
【図１３】変形例３における乾燥処理の流れの一例を示すフローチャートである。
【発明を実施するための形態】
【００２７】
（インクジェット記録装置１０の構成）
【００２８】
図１は、本実施形態に係るインクジェット記録装置１０の概略構成図である。
【００２９】
インクジェット記録装置１０は、例えば、制御手段の一例である制御部２０、記憶部３０、ヘッド駆動部４０、印字ヘッド５０、レーザ駆動部６０、レーザ乾燥装置７０、給紙ロール８０、排出ロール９０、搬送ローラ１００、及び用紙速度検出センサ１１０等を含む。
【００３０】
制御部２０は、図示しない用紙搬送モータを駆動することで、用紙搬送モータと例えばギヤ等の機構を介して接続された搬送ローラ１００の回転を制御する。給紙ロール８０には、記録媒体として用紙搬送方向に長尺状の連続紙Ｐが巻き付けられており、搬送ローラ１００の回転に伴って連続紙Ｐが用紙搬送方向に搬送される。
【００３１】
また、制御部２０は、例えば記憶部３０に記憶される、ユーザが連続紙Ｐに描画させたい画像の情報、すなわち画像情報を取得し、画像情報に含まれる画像の画素毎の色情報に基づいてヘッド駆動部４０を制御する。そして、ヘッド駆動部４０は、制御部２０から指示されたインク滴の吐出タイミングに従って、ヘッド駆動部４０に接続された印字ヘッド５０を駆動して、印字ヘッド５０からインク滴を吐出させ、搬送される連続紙Ｐ上に画像情報に対応した画像を形成する。
【００３２】
なお、画像情報の画素毎の色情報には、画素の色を一意に示す情報が含まれる。本実施形態の例では、例えば、画像の画素毎の色情報がイエロー（Ｙ）、マゼンタ（Ｍ）、シアン（Ｃ）、黒（Ｋ）の各々の濃度によって表されているものとするが、画像の色を一意に示す他の表現方法を用いても構わない。
【００３３】
印字ヘッド５０は、Ｙ色、Ｍ色、Ｃ色、及びＫ色の４色それぞれに対応した４つの印字ヘッド５０Ｙ、５０Ｍ、５０Ｃ、及び５０Ｋを含み、各色の印字ヘッド５０に設けられたインク吐出口から対応する色のインク滴を吐出する。図１に示す例では、搬送方向に沿ってＫ色、Ｙ色、Ｃ色、及びＭ色の順に各色の印字ヘッド５０が設けられた場合を一例として示す。なお、印字ヘッド５０においてインク滴を吐出するための駆動方法は特に限定されず、いわゆるサーマル方式や圧電方式等、公知のものが適用される。
【００３４】
レーザ駆動部６０には、図１（Ｂ）に示される如く、レーザ乾燥装置７０として、二次元配列されたレーザ素子７０ＬＤのオンオフを制御するＦＥＴ（Field Effect Transistor）等のスイッチング素子（図示省略）が含まれる。
【００３５】
なお、レーザ乾燥装置７０は、図１（Ｂ）では、レーザ素子７０ＬＤを二次元配列したが、理論的には、レーザ素子７０ＬＤが少なくとも主走査方向（連続紙Ｐの搬送方向と交差（例えば、直交）する方向）に１列設けられていればよい。
【００３６】
レーザ駆動部６０は、制御部２０からの指示に基づいてスイッチング素子を駆動し、連続紙Ｐが受ける平均照射エネルギーを調整する。平均照射エネルギーとは、レーザ光の照射強度×時間であり、パルス幅制御と強度制御とがある。
【００３７】
パルス幅制御は、レーザ光出力強度は一定で、パルスのデューティ比を制御する。パルスのデューティ比が小さくなるに従って平均照射エネルギーが弱くなり、パルスのデューティ比が大きくなるに従って平均照射エネルギーが強くなる。
【００３８】
強度制御は、一定時間でレーザ光出力強度を制御する。出力強度が小さければ同一時間で平均照射エネルギーが弱くなり、出力強度が大きければ、平均照射エネルギーが強くなる。
【００３９】
本実施の形態では、パルス幅制御により、平均照射エネルギーを生成するものとするが。強度制御であっても全く同様に平均照射エネルギーを生成することが可能である。
【００４０】
制御部２０はレーザ駆動部６０を制御することで、レーザ乾燥装置７０から連続紙Ｐの画像形成面に向けてレーザ光を照射させ、連続紙Ｐに形成された画像のインク滴を乾燥させて、連続紙Ｐへの画像の定着を図る。なお、レーザ駆動部６０及びレーザ乾燥装置７０を含んだものを乾燥装置という。また、画像形成面とは、連続紙Ｐに画像を形成する側の面をいう。また、連続紙Ｐ（画像形成面）上に画像形成可能な領域を画像形成領域という。つまり、画像形成領域とは、連続紙Ｐ上に画像に応じたインク滴が吐出されてインク画像を形成可能な領域をいう。
【００４１】
また、レーザ乾燥装置７０のレーザ素子から連続紙Ｐまでの距離は、レーザ素子の放射角度及び放射領域の広さに基づいて設定される。
【００４２】
その後、連続紙Ｐは搬送ローラ１００の回転に伴って排出ロール９０まで搬送され、排出ロール９０に巻き取られる。
【００４３】
用紙速度検出センサ１１０は、例えば連続紙Ｐの画像形成面と対向する位置に配置され、連続紙Ｐの搬送方向における搬送速度を検出する。制御部２０は、用紙速度検出センサ１１０から通知される搬送速度、及び印字ヘッド５０からレーザ乾燥装置７０までの距離を用いて、印字ヘッド５０から連続紙Ｐに吐出したインク滴がレーザ乾燥装置７０のレーザ照射領域内に搬送されるタイミングを算出する。そして、制御部２０は、連続紙Ｐ上のインク滴がレーザ乾燥装置７０のレーザ照射領域内に搬送されるタイミングで、レーザ乾燥装置７０からインク滴にレーザ光が照射されるよう、レーザ駆動部６０を制御する。
【００４４】
なお、用紙速度検出センサ１１０において連続紙Ｐの搬送速度を検出するための検出方法は特に限定されず、公知のものが適用される。また、用紙速度検出センサ１１０は、本実施形態に係るインクジェット記録装置１０に必須のものではない。例えば、連続紙Ｐの搬送速度が予め定められている場合には、用紙速度検出センサ１１０が不要となる場合がある。
【００４５】
また、インクとしては水性インク、溶媒が蒸発するインクである油性インク、紫外線硬化型インク等が存在するが、本実施の形態では水性インクを使用するものとする。以下、単に「インク」又は「インク滴」とある場合は、「水性インク」又は「水性インク滴」を意味しているものとする。また、本実施形態に係るＹＭＣＫ各色のインクには、ＩＲ（infrared）吸収剤が添加され、インクがレーザ光を吸収する度合いが調整されるが、必ずしもＹＭＣＫ各色のインクにＩＲ吸収剤を添加しなくてもよい。
【００４６】
このように、インクジェット記録装置１０は、連続紙Ｐに吐出されたインク滴を乾燥するレーザ乾燥装置７０を含む。
【００４７】
（レーザ乾燥装置７０）
【００４８】
次に、本実施の形態に係るレーザ乾燥装置７０について説明する。
【００４９】
図２に、レーザ乾燥装置７０のレーザ照射面の一例を示す。ここで、レーザ照射面とは、連続紙Ｐの画像形成面と対向するように設けられた複数のレーザ素子７０ＬＤがレーザ光を照射する面をいう。
【００５０】
図２に示すように、レーザ乾燥装置７０のレーザ照射面には、複数のレーザ素子７０ＬＤが、用紙搬送方向及び用紙幅方向に沿って配置される。複数のレーザ素子７０ＬＤは、レーザ駆動部６０によってレーザ照射のタイミング及びレーザ光の照射強度が制御される。また、複数のレーザ素子７０ＬＤは、用紙搬送方向に沿って予め定めた個数毎にレーザ素子ブロックＬＢとしてまとめられ、レーザ駆動部６０により、レーザ素子ブロックＬＢ毎に一括して駆動される。従って、レーザ素子ブロックＬＢは、同時に点灯または消灯するレーザ素子群として機能する。
【００５１】
図２に示す例では、複数のレーザ素子７０ＬＤの一例として、用紙搬送方向に２０個のレーザ素子７０ＬＤ０１〜ＬＤ２０を含むレーザ素子群をレーザ素子ブロックＬＢとして、用紙幅方向に１６ブロック（レーザ素子ブロックＬＢ０１〜ＬＢ１６）配設した３２０個のレーザ素子でレーザ乾燥装置７０を構成した場合を示した。
【００５２】
なお、図２に示すレーザ素子ブロックＬＢに含まれるレーザ素子７０ＬＤの個数及びレーザ素子ブロックＬＢのブロック数に制限がないことは勿論である。また、本実施形態では、複数のレーザ素子７０ＬＤとして、用紙幅方向の間隔、つまりレーザ素子ブロックＬＢの間隔が１．２７ｍｍに設定されたレーザユニットを用いた場合を説明する。
【００５３】
レーザ素子７０ＬＤは、レーザ光を面発光する面発光レーザ素子を用いることが好ましい。例えば、面発光レーザ素子として、複数のレーザ素子を用紙搬送方向及び用紙幅方向に格子状に配置した垂直共振器型のレーザ素子を含む、ＶＣＳＥＬ（Vertical Cavity Surface Emitting Laser）とも称されるレーザ素子を用いることができる。
【００５４】
（乾燥制御の詳細）
【００５５】
ところで、レーザ素子ブロックＬＢを、連続紙Ｐの画像形成面上における各レーザ素子ブロックＬＢのレーザ照射領域が用紙幅方向に隙間なく隣接するように配置した場合、連続紙Ｐの画像形成面上には、各レーザ素子ブロックＬＢのレーザ照射領域単位のレーザ光が照射される。ところが、レーザ光は、中心から徐々に強度が弱くなる強度分布のレーザ光を照射する。このため、画像形成面上では、レーザ光の強度がばらつき、インク滴の乾燥ムラを引き起こす場合がある。
【００５６】
そこで、本実施形態では、少なくとも用紙幅方向の画像形成領域に、より多くのレーザ光が照射されるように、少なくとも用紙幅方向に複数のレーザ光が互いに重複するように、レーザ素子ブロックＬＢを位置させる。つまり、レーザ素子７０ＬＤから照射されるレーザ光が広がりを有する、つまり、レーザ素子７０ＬＤの放射角度及び（連続紙Ｐにおける）放射領域の広さに着目し、用紙幅方向の画像形成領域内に、少なくとも用紙幅方向の複数のレーザ素子のレーザ光が重複して照射されるようにレーザ素子７０ＬＤを配設する。
【００５７】
図３に、用紙幅方向の画像形成領域とレーザ素子ブロックＬＢとの位置関係の一例を示す。
【００５８】
図３に示す例では、用紙幅方向の画像形成領域Ｒｘに対して、複数のレーザ素子ブロックＬＢからのレーザ光が重複して照射されるようにレーザ素子ブロックＬＢを設けている。つまり、レーザ素子７０ＬＤのレーザ光の広がり（放射角度）を考慮して、連続紙Ｐに対してレーザ光が重複して照射されるようにレーザ素子７０ＬＤと連続紙Ｐとの距離を定める。このようにすることで、連続紙Ｐに照射されるレーザ光を、レーザ素子ブロックＬＢ単位のレーザ光から複数のレーザ素子ブロックＬＢによるレーザ光に分散させることができる。これにより、インク滴の乾燥ムラを抑制することができる。
【００５９】
また、レーザ乾燥装置７０を用いてインク滴を乾燥させる場合、レーザ乾燥装置７０のレーザ照射領域に含まれるインク滴が乾燥される。
【００６０】
従って、インク滴をレーザ照射によって乾燥させる場合、レーザ乾燥装置７０におけるレーザ照射領域をどのように設定すればよいか、レーザ照射領域におけるレーザ光の強度をどのように設定すればよいのかを検討する必要がある。
【００６１】
（レーザ照射領域での平均照射エネルギーの設定）
【００６２】
図４に、複数のレーザ素子７０ＬＤによるレーザ照射領域Ｒの一例を示す。
【００６３】
本実施形態では、各レーザ素子７０ＬＤから照射される各レーザ光は広がりを有する。この広がりを有する各レーザ光を考慮するため、複数のレーザ素子７０ＬＤによるレーザ照射面に対応する領域Ｒｏと、領域Ｒｏの周囲に広がりを有するレーザ光を考慮するために定めた領域Ｒｍとを含むレーザ照射領域Ｒを設定する。なお、領域Ｒｏは、画像形成領域に対応する。
【００６４】
領域Ｒｏは、連続紙Ｐ上で、複数のレーザ素子７０ＬＤがレーザ光を照射するレーザ照射面に対応する大きさの領域である。つまり、領域Ｒｏは、連続紙Ｐ上で、用紙幅方向に配列されたレーザ素子７０ＬＤの距離に対応する幅Ｈｏ、用紙搬送方向に配列されたレーザ素子７０ＬＤの距離について連続紙Ｐの搬送速度に応じて伸縮した長さＶｏの大きさを設定する。連続紙Ｐは、搬送されながら複数のレーザ素子７０ＬＤによりレーザ光が照射される。従って、連続紙Ｐには複数のレーザ素子７０ＬＤにより照射されたレーザ光のエネルギーが累積される。つまり、インク滴を乾燥するためには、レーザ光の強度（照射強度）及びそのレーザ光の照射時間により与えられる累積エネルギー（照射強度と照射時間の積＝平均照射エネルギー）を検討することが重要である。また、この領域Ｒｏは、複数のレーザ素子７０ＬＤの各々から照射されたレーザ光が支配的な領域が存在する。
【００６５】
そこで、本実施形態では、領域Ｒｏをレーザ素子７０ＬＤ単位で分割し、分割した区画単位で照射されるレーザ光による累積エネルギーを検討する。
【００６６】
つまり、本実施形態では、領域Ｒｏを、用紙幅方向に１６分割（Ｈｏ／１６）し、用紙搬送方向に２０分割（Ｖｏ／２０）した大きさの区画ＳＰ単位でレーザ光による累積エネルギーを検討する。区画ＳＰの用紙幅方向の大きさは、レーザ素子７０ＬＤの用紙幅方向の間隔として、例えば０．６３５ｍｍに設定される。また、区画ＳＰの用紙搬送方向の大きさは、用紙搬送方向に並べられたレーザ素子７０ＬＤ０１〜ＬＤ２０の配置間隔１．８９ｍｍに設定される。
【００６７】
なお、領域Ｒｏにおける累積エネルギーを詳細に検討する場合、用紙幅方向のレーザ素子７０ＬＤ間におけるレーザ光の照射強度による累積エネルギーを考慮する場合がある。この場合は、用紙幅方向に配列されたレーザ素子７０ＬＤの数を所定倍した数で、分割すればよい。例えば、レーザ素子７０ＬＤの数の２倍で分割することにより、用紙幅方向のレーザ素子７０ＬＤ間のレーザ光の強度が谷間となる部分の累積エネルギーを考慮することで乾燥ムラを抑制することができる。また区画ＳＰの用紙搬送方向の長さをレーザ素子７０ＬＤの配置間隔とすることで、配置間隔の間の領域についての演算を不要にしている。
【００６８】
一方、領域Ｒｍは、領域Ｒｏの周囲に広がるレーザ光を考慮するために、所定区画を有する領域を定める。本実施形態では、用紙搬送方向に所定数（例えば５）の区画ＳＰを有する領域を有し、用紙幅方向にレーザ素子７０ＬＤの用紙幅方向の間隔の１／２の区画、つまり、用紙搬送方向に区画ＳＰを１／２に分割した区画を、所定数（例えば５）有する領域を定める。つまり、領域Ｒｍは、連続紙Ｐ上で、区画ＳＰの１／２の区画を５つ並べた用紙幅方向の距離に対応する幅Ｈｍを両側に設定し、用紙搬送方向の上流側、下流側に区画ＳＰを５つ並べた距離について連続紙Ｐの搬送速度に応じて伸縮した長さＶｍの大きさが設定される。
【００６９】
なお、本実施形態では、累積エネルギー算出時の誤差を避けるために用紙搬送方向の上流側、下流側に所定数の区画ＳＰを有する領域Ｒｍを検討対象として設定して用紙上の検討対象位置が領域Ｖｏを外れて領域Ｒｍから漏れこんだレーザ光の影響を考慮できるようにしたが、用紙搬送方向の上流側、下流側に設けた少なくとも一方の領域Ｒｍは無視してもよい。これは、図２に示したように用紙搬送方向にレーザ素子が２０個１．８９ｍｍピッチで配置された状態の場合、領域Ｖｏ外の漏れ光の寄与が小さいため、領域Ｒｍを無視したとしても、累積エネルギーの算出結果に影響が少ないという結果を得たためである。このように、領域Ｒｍを無視することで、演算負荷を抑制することができる。
【００７０】
（レーザ乾燥装置７０の駆動制御）
【００７１】
次に、レーザ乾燥装置７０の駆動制御について説明する。
【００７２】
本実施の形態に係るレーザ駆動部６０は、レーザ素子ブロックＬＢ毎にレーザ素子ブロックＬＢをオンオフ駆動する。従って、レーザ乾燥装置７０に含まれる全てのレーザ素子ブロックＬＢをまとめて一括してオンオフ駆動する場合と比較して、インク滴が存在しない領域への無駄なレーザ照射を抑制することができる。これにより、インク滴を乾燥する際に要する消費エネルギーが抑制され、インク滴が効率よく乾燥される。
【００７３】
また、本実施の形態に係るレーザ駆動部６０は、画像情報を用いて、画像上の位置におけるインク滴の量（Ｃｉｎ）を算出する。つまり、連続紙Ｐに形成される画像の濃度に応じてインク滴の量は変動する。そこで、連続紙Ｐの予め定めた領域に、画像情報に応じて吐出されたインク滴の量を算出する。
【００７４】
レーザ駆動部６０は、画像のインク滴の量に応じたレーザ照射強度となるように該当するレーザ素子ブロックＬＢをオンオフ駆動する。また、レーザ駆動部６０は、各レーザ素子ブロックＬＢをオンオフ駆動するデューティをインク滴の量と連続紙Ｐの搬送速度に基づいて算出する。つまり、レーザ駆動部６０は、レーザ照射領域を連続紙Ｐ（の画像形成領域）が用紙搬送方向に通過するのに要する時間を累積時間として、画像のインク滴の量に応じて必要となる累積エネルギーとなるように、レーザ照射強度を、レーザ素子ブロックＬＢをオンオフ駆動し制御する。
【００７５】
（複数のレーザ照射領域による平均照射エネルギーの設定）
【００７６】
ところで、単一のレーザ照射領域に基づき、平均照射エネルギーを設定するのは、画像のインク滴量（Ｃｉｎ）に応じて、必要となる平均照射エネルギーとなるように、レーザ光の平均照射エネルギーを制御するものである。
【００７７】
しかしながら、平均照射エネルギーを設定するための画像の印字率とパターンの大きさが異なると、一部の領域で、設定された平均照射エネルギーよりも低い平均照射エネルギーで、「しわ」と「定着」の目標値を達成可能となる場合があるが、このような一部の領域に対しても、一律に、他の一部に対して乾燥に必要なエネルギーが照射されることになる。
【００７８】
言い換えれば、一部の領域に対して、過度の平均照射エネルギーにより、「しわ」が発生する場合がある。
【００７９】
例えば、最小単位の区画ＳＰ（図４参照）を、相対的に広い領域（パターンサイズ）で設定した平均照射エネルギーと、相対的に狭い領域（パターンサイズ）で設定した平均照射エネルギーとでは、必要となる平均照射エネルギーが異なる結果となる場合がある。
【００８０】
図６は、領域（パターンサイズ）の違いによる、平均照射エネルギーが及ぼす影響（ここでは、「しわ」グレード）の関係を示す実験例である。
【００８１】
図６（Ａ）に示される如く、実験対象として、搬送方向と直交する方向（幅方向）の寸法が４０ｍｍ（一定）の黒ベタのパターン１５０（搬送方向寸法が１０ｍｍのパターン１５０Ａ、２０ｍｍのパターン１５０Ｂ、５０ｍｍのパターン１５０Ｃ、及び１００ｍｍのパターン１５０Ｄ）を用いた。
【００８２】
図６（Ｂ）は、各パターン１５０について、平均照射エネルギーを変えて、「しわ」グレードを観察した特性図である。平均照射エネルギーは、０．０Ｊ／ｃｍ２、２．４Ｊ／ｃｍ２、３．４Ｊ／ｃｍ２、４．１Ｊ／ｃｍ２の４種類とした。
【００８３】
また、「しわ」グレードは、数値が少ないほど良判定であり、合否レベルのしきい値は、２．５レベルとした。
【００８４】
図６（Ｂ）によれば、パターンの大きさによって、「しわ」グレードが合格となるのに必要な平均照射エネルギーが異なることがわかる。
【００８５】
さらに、特徴的な事項として、狭い領域のパターン（ここでは、パターン１５０Ａ）の方が、広い領域のパターン（ここでは、パターン１５０Ｄ）よりも、平均照射エネルギーの変化に対する反応が敏感（反応し易い）ことがわかる。
【００８６】
図７は、図６のパターン１５０Ａ（搬送方向寸法が１０ｍｍ）及びパターン１５０Ｄ（搬送方向寸法が１００ｍｍ）を用いた、Ｃｉｎ（インク滴量）−必要平均照射エネルギー特性曲線である。
【００８７】
図７に示される如く、何れのパターン１５０も、Ｃｉｎが多ければ多いほど、平均照射エネルギーを多く必要とする傾向は同じであるが、その数値（平均照射エネルギー）は異なっている。すなわち、１０ｍｍのパターン１５０Ａよりもさらに狭い領域のパターンにおける、「しわ」の抑制に必要な平均照射エネルギーは少なくなる傾向であり、逆に、１００ｍｍのパターン１５０Ｄよりもさらに広い領域のパターンにおける、「しわ」の抑制に必要な平均照射エネルギーは多くなる傾向である。
【００８８】
このような傾向において、単一の相対的に広い領域のパターンで印字率を求め、平均照射エネルギーを設定したとしても、印字領域が均一でない場合は、部分的に平均照射エネルギーの不足が発生する場合がある。
【００８９】
一方、単一の相対的に狭い領域のパターンで印字率を求め、平均照射エネルギーを設定した場合、隣接するパターン間の平均照射エネルギーの差が大きくなりすぎて、乾燥むらが発生する場合がある。
【００９０】
そこで、本実施の形態では、図８に示される如く、区画ＳＰの集合の分割パターンとして、相対的に広い領域のパターン（大ピクセル１５２）と、相対的に狭い領域のパターン（小ピクセル１５４）とを設定し、大ピクセル１５２における、Ｃｉｎに対する必要平均照射エネルギーと、小ピクセル１５４における、Ｃｉｎに対する必要平均照射エネルギーとを求めるようにした。
【００９１】
この結果において、以下の条件の下で、各小ピクセル１５４の平均照射エネルギーを確定するようにした。
【００９２】
（条件１）  各小ピクセル１５４の平均照射エネルギー設定値が、大ピクセル１５２の平均照射エネルギー設定値よりも小さい場合は、大ピクセル１５２で設定した平均照射エネルギーを採用する。
【００９３】
（条件２）  各小ピクセル１５４の平均照射エネルギー設定値が、大ピクセル１５２の平均照射エネルギー設定値よりも大きい場合は、それぞれの平均照射エネルギーを採用する。
【００９４】
例えば、図８（Ａ）に示される如く、大ピクセル１５２（Ａ１）と同一領域に、９個の小ピクセル１５４（ａ１）〜１５４（ａ９）を設定する。
【００９５】
図８（Ｂ）に示される如く、Ｃｉｎ−平均照射エネルギー特性曲線に基づき、大ピクセル１５２（Ａ１）と、小ピクセル１５４（ａ１）〜１５４（ａ９）の適正な平均照射エネルギーをプロットする。
【００９６】
この図８（Ｂ）において、大ピクセル１５２（Ａ１）の平均照射エネルギーよりも大きい平均照射エネルギーがプロットされた小ピクセル１５４（ａ３）、１５４（ａ５）、及び１５４（ａ８）においては、それぞれプロットされた平均照射エネルギーを設定する。すなわち、小ピクセル１５４（ａ３）は２．５Ｊ／ｃｍ２、小ピクセル１５４（ａ５）は３．０Ｊ／ｃｍ２、小ピクセル１５４（ａ８）は２．０Ｊ／ｃｍ２に設定する。
【００９７】
一方、大ピクセル１５２Ａ１の平均照射エネルギーよりも小さい平均照射エネルギーがプロットされた小ピクセル１５４（ａ１）、１５４（ａ２）、１５４（ａ４）、１５４（ａ６）、１５４（ａ７）、及び１５４（ａ９）においては、大ピクセル１５２（Ａ１）でプロットした平均照射エネルギー（ここでは、１．５Ｊ／ｃｍ２）に置き換える（条件２）。
【００９８】
すなわち、本実施の形態では、２種類の異なる領域の内、大きい平均照射エネルギーを採用することで、乾燥処理における、「しわ」及び乾燥むらに起因する画像の品質低下を抑制するようにした。
【００９９】
（インクジェット記録装置１０の制御構成）
【０１００】
次に、インクジェット記録装置１０における電気系の要部構成を説明する。
【０１０１】
図５は、インクジェット記録装置１０における電気系の要部構成の一例を示す図である。制御部２０は、例えば、コンピュータで実現可能である。以下、制御部２０として実現可能なコンピュータを、コンピュータ２０と表記して説明する。
【０１０２】
図５に示すように、コンピュータ２０は、ＣＰＵ（Central Processing Unit）２０１、ＲＯＭ（Read Only Memory）２０２、ＲＡＭ（Random Access Memory）２０３、及び入出力インターフェース（Ｉ／Ｏ）２０５が、バス２０６を介して各々接続される。そして、Ｉ／Ｏ２０５には、ヘッド駆動部４０、レーザ駆動部６０、用紙速度検出センサ１１０、通信回線Ｉ／Ｆ（Interface）１２０、操作表示部１３０、及び用紙搬送モータ１４０が接続されている。更に、ヘッド駆動部４０には印字ヘッド５０、レーザ駆動部６０にはレーザ乾燥装置７０が接続されている。また、搬送ローラ１００は、用紙搬送モータ１４０と例えばギヤ等の駆動機構を介して接続され、用紙搬送モータ１４０の駆動に伴い搬送ローラ１００が回転する。
【０１０３】
コンピュータ２０は、例えばＲＯＭ２０２に予めインストールされている制御プログラム２０２ＰをＣＰＵ２０１で実行し、制御プログラム２０２Ｐに従ってＩ／Ｏ２０５に接続される各要素とデータ通信を行うことで、インクジェット記録装置１０を制御する。
【０１０４】
ヘッド駆動部４０は、例えば印字ヘッド５０をオンオフ駆動するＦＥＴ等のスイッチング素子を含み、コンピュータ２０からの指示を受け付けてスイッチング素子を駆動する。
【０１０５】
印字ヘッド５０は、例えば、電圧の変化を力に変換する圧電素子等を含み、ヘッド駆動部４０からの駆動指示に従って圧電素子等を動作させ、図示しないインクタンクから供給されたインク滴を、印字ヘッド５０のノズル吐出口から連続紙Ｐに向かって吐出する。
【０１０６】
レーザ駆動部６０は、例えば、レーザ乾燥装置７０に含まれるレーザ素子ブロックＬＢ毎にレーザ素子ブロックＬＢをオンオフ駆動するＦＥＴ等のスイッチング素子を含み、コンピュータ２０からの指示を受け付けてスイッチング素子を駆動する。
【０１０７】
レーザ乾燥装置７０は、例えば、レーザ素子ブロックＬＢを含み、レーザ駆動部６０からの駆動指示に従って、レーザ素子ブロックＬＢから連続紙Ｐに向かってレーザ光を照射する。
【０１０８】
通信回線Ｉ／Ｆ１２０は、図示しない通信回線に接続され、通信回線に接続されている図示しないパーソナルコンピュータ等の情報機器と、データ通信を行うためのインターフェースである。この図示しない通信回線は、有線、無線、及び有線と無線の混在の何れの形態であってもよく、例えば、図示しない情報機器から画像情報を受け付けるようにしてもよい。
【０１０９】
操作表示部１３０はインクジェット記録装置１０のユーザからの指示を受け付けると共に、ユーザに対してインクジェット記録装置１０の動作状況等に関する各種情報を通知する。操作表示部１３０は、例えば、プログラムによって操作指示の受け付けを実現する表示ボタンや各種情報が表示されるタッチパネル式のディスプレイ、及び、テンキーやスタートボタンなどのハードウェアキー等を含む。
【０１１０】
以上の要素を含むインクジェット記録装置１０の処理は、制御プログラム２０２Ｐを実行することにより、コンピュータ２０を利用してソフトウエアにより実現することができる。
【０１１１】
なお、制御プログラム２０２Ｐは、ＲＯＭ２０２に予めインストールされて提供される形態に限られず、ＣＤ−ＲＯＭやメモリカード等のコンピュータ読み取り可能な記録媒体に格納された状態で提供される形態であってもよい。また、通信回線Ｉ／Ｆ１２０を経由して配信される形態等であってもよい。
【０１１２】
以下に、本実施の形態の作用を、図９のフローチャートに従い説明する。
【０１１３】
図９に、例えば、ユーザから連続紙Ｐに形成する画像情報を受け付けた際に、コンピュータ２０のＣＰＵ２０１によって実行される制御プログラム２０２Ｐの一例としての乾燥プログラムの処理の流れを示す。
【０１１４】
なお、ここでは説明を簡略化するため、レーザ乾燥装置７０の直前に形成された各色（ＣＭＹＫ）を一括してインク画像を乾燥処理する場合を説明するが、各色毎に同一の制御を行ってもよい。
【０１１５】
まず、ステップ３００では、例えばＲＡＭ２０３の予め定めた領域に予め記憶された各色（ＣＭＹＫ）の画像情報を取得する。例えば、各色（ＣＭＹＫ）の画像情報には、乾燥領域を示す情報及びインク滴の量を示す各情報が含まれる。乾燥領域とは、画像形成領域にインク滴が吐出されてインク画像が形成された領域の位置及び大きさをいう。また、画像の濃度に応じてインク滴の量が変動するため、乾燥領域内の位置（例えば画素）に対応してインク滴の量が定まる。このため、インク滴の量を示す各情報は、乾燥領域内の位置（例えば画素）に関連付けられている。
【０１１６】
次のステップ３０２では、画像情報に対して、複数の領域（本実施の形態では、図８に示す、大ピクセル１５２及び小ピクセル１５４）で印字率を計算し、次いで、ステップ３０４では、図８（Ｂ）に示される如く、Ｃｉｎ−レーザエネルギー特性曲線に基づいて、複数の領域単位で、連続紙Ｐ上（画像形成領域上）に形成される各色（ＣＭＹＫ）のインク画像を乾燥するためのレーザエネルギーを求める。
【０１１７】
次のステップ３０６では、大ピクセル１５２で設定したレーザエネルギーと、小ピクセル１５４で設定したレーザエネルギーとを比較して、何れか高いもの（大きい方のレーザエネルギー）を採用し、採用したレーザエネルギーを目標値としてＲＡＭ２０３に格納する。
【０１１８】
次のステップ３０８、及びステップ３１０では、用紙搬送方向の特定位置でのレーザエネルギー目標値から平均照射エネルギーを繰り返し演算によって算出する。まずステップ３０８では、レーザ乾燥装置７０で照射する平均照射エネルギーを導出するために、レーザ素子ブロックＬＢから照射する例えばデューティ最大時のレーザ光の最大照射強度と、連続紙Ｐを用紙搬送方向に搬送する搬送速度を基に、レーザ光の平均照射エネルギー及び搬送速度の初期値を設定する。ここで搬送速度は、インクジェット記録装置１０内で連続紙Ｐを搬送させる予め定めた搬送速度が記憶されているものとする。
【０１１９】
次のステップ３１０では、用紙幅方向のエネルギープロファイルを、レーザ素子７０ＬＤの平均照射エネルギーを繰り返し演算により、目標平均照射エネルギー未満とならないようレーザ光の平均照射エネルギーを徐々に低下させながら目標値に至るまで導出する。
【０１２０】
本実施形態では、各色（ＣＭＹＫ）のインク画像を乾燥させるための平均照射エネルギーを導出するのに、２次元で算出するのではなく、レーザ素子が用紙搬送方向に２０個並び、それらが一括で制御されることから、用紙搬送方向には同一値とみなし用紙幅方向だけの１次元で算出することで、大幅に演算を簡略化している。各色（ＣＭＹＫ）のインク画像に対して用紙幅方向に１次元方向の平均照射エネルギーを導出し、そして用紙搬送方向に展開する。
【０１２１】
次に、ステップ３１２では、前記のようにして導出した平均照射エネルギープロファイルＰｗＰの各々に従ってレーザ素子ブロックＬＢの各々を駆動し、本プログラムを終了する。
【０１２２】
本実施の形態によれば、連続紙Ｐにおける、レーザ乾燥装置７０による乾燥領域を区画ＳＰに区画し、区画ＳＰの集合として、大ピクセル１５２と、小ピクセル１５４とを設定し、それぞれのピクセルにおける、Ｃｉｎに対する必要平均照射エネルギーを求め、各小ピクセル１５４の平均照射エネルギー設定値が、大ピクセル１５２の平均照射エネルギー設定値よりも小さい場合は、大ピクセル１５２で設定した平均照射エネルギーを採用し、各小ピクセル１５４の平均照射エネルギー設定値が、大ピクセル１５２の平均照射エネルギー設定値よりも大きい場合は、それぞれの平均照射エネルギーを採用して、各小ピクセル１５４の平均照射エネルギーを確定するようにしたため、非画像部と画像部との膨潤と収縮による「しわ」の発生が軽減される。
【０１２３】
なお、本実施の形態では、所謂タイルのように敷き詰めた領域（大ピクセル１５２、小ピクセル１５４）で、Ｃｉｎの平均値の計算を行っていたが、移動平均や加重平均とった計算方法で、同様の計算を行ってもよい。
【０１２４】
また、大ピクセル１５２及び小ピクセル１５４の２種類の限らず、サイズの種類を３以上としてもよい。サイズの種類数分、図８の特性曲線が増えることになる。
【０１２５】
（変形例１）
【０１２６】
なお、本実施の形態では、大ピクセル１５２及び小ピクセル１５４（図８参照）を正方形としたが、図１０（Ａ）に示される如く、搬送方向と直交する方向が長辺となる長方形の大ピクセル１５３及び小ピクセル１５５や、図１０（Ｂ）に示される如く、搬送方向が長辺となる長方形の大ピクセル１５６及び小ピクセル１５７を用いてもよい。
【０１２７】
（変形例２）
【０１２８】
また、本実施の形態では、画一的に大ピクセル１５２及び小ピクセル１５４を設定したが、図１１（Ａ）に示される如く、ラベリングアルゴリズムを用いて画像領域と非画像領域とを分類するようにしてもよい。
【０１２９】
すなわち、分類した画像領域の内、予め定めた面積以上の領域を大領域とし、予め定めた面積未満の領域を小領域とし、非画像領域の単位区画を最小領域とする。
【０１３０】
図１１（Ｂ）に示される如く、各領域毎のＣｉｎ−レーザエネルギー特性曲線を描き、平均照射エネルギーを設定する。
【０１３１】
図１２のフローチャートに従い、変形例２の処理の流れを説明する。なお、図９と同一処理のステップについては、符号の末尾に「Ａ」を付す。
【０１３２】
まず、ステップ３００Ａでは、例えばＲＡＭ２０３の予め定めた領域に予め記憶された各色（ＣＭＹＫ）の画像情報を取得する。例えば、各色（ＣＭＹＫ）の画像情報には、乾燥領域を示す情報及びインク滴の量を示す各情報が含まれる。乾燥領域とは、画像形成領域にインク滴が吐出されてインク画像が形成された領域の位置及び大きさをいう。また、画像の濃度に応じてインク滴の量が変動するため、乾燥領域内の位置（例えば画素）に対応してインク滴の量が定まる。このため、インク滴の量を示す各情報は、乾燥領域内の位置（例えば画素）に関連付けられている。
【０１３３】
次のステップ３１４では、予め定めたしきい値に基づき、２値画像を作成し、次いでステップ３１６へ移行して、四近傍ラベリングアルゴリズムによる領域推定を実行する。これにより、基本的に画像領域と非画像領域とが分類され、画像領域は、大領域と小領域に分類された、非画像領域の単位区画を最小領域とする。
【０１３４】
次のステップ３１６では、図１１（Ｂ）に基づき、平均照射エネルギーを決定し、ステップ３０８Ａへ移行する。
【０１３５】
次のステップ３０８Ａ、及びステップ３１０Ａでは、用紙搬送方向の特定位置でのレーザエネルギー目標値から平均照射エネルギーを繰り返し演算によって算出する。まずステップ３０８Ａでは、レーザ乾燥装置７０で照射する平均照射エネルギーを導出するために、レーザ素子ブロックＬＢから照射する例えばデューティ最大時のレーザ光の最大照射強度と、連続紙Ｐを用紙搬送方向に搬送する搬送速度を基に、レーザ光の平均照射エネルギー及び搬送速度の初期値を設定する。ここで搬送速度は、インクジェット記録装置１０内で連続紙Ｐを搬送させる予め定めた搬送速度が記憶されているものとする。
【０１３６】
次のステップ３１０Ａでは、用紙幅方向のエネルギープロファイルを、レーザ素子７０ＬＤの平均照射エネルギーを繰り返し演算により、目標平均照射エネルギー未満とならないようレーザ光の平均照射エネルギーを徐々に低下させながら目標値に至るまで導出する。
【０１３７】
本実施形態では、各色（ＣＭＹＫ）のインク画像を乾燥させるための平均照射エネルギーを導出するのに、２次元で算出するのではなく、レーザ素子が用紙搬送方向に２０個並び、それらが一括で制御されることから、用紙搬送方向には同一値とみなし用紙幅方向だけの１次元で算出することで、大幅に演算を簡略化している。各色（ＣＭＹＫ）のインク画像に対して用紙幅方向に１次元方向の平均照射エネルギーを導出し、そして用紙搬送方向に展開する。
【０１３８】
次に、ステップ３１２Ａでは、前記のようにして導出した平均照射エネルギープロファイルＰｗＰの各々に従ってレーザ素子ブロックＬＢの各々を駆動し、本プログラムを終了する。
【０１３９】
（変形例３）
【０１４０】
なお、変形例２では、２値画像の作成において、単一のしきい値（インク滴量を示すＣｉｎ値）で分類したが、複数のしきい値（インク滴量を示すＣｉｎ値）を用いて異なる種類の２値画像を作成し、それぞれの２値画像において、ラベリングアルゴリズムによる領域推定を実行してもよい。
【０１４１】
例えば、処理の流れは、図１３のフローチャートに示される如く、２値画像を作成するしきい値（インク滴量を示すＣｉｎ値）として、Ｃｉｎ＝５０、Ｃｉｎ＝１００、Ｃｉｎ＝１５０を設定し、図１２のフローチャートの処理ステップ３１４、３１６の処理を、異なるＣｉｎで繰り返すことになる（図１３のフローチャートのステップ３１４Ａ、３１６Ａ、３１４Ｂ、３１６Ｂ参照）。
【０１４２】
また、変形例２及び変形例３では、ラベリングアルゴリズムとして、四近傍ラベリングアルゴリズムを用いたが、八近傍ラベリングアルゴリズムやヒストグラムによる連結部分の結合手法を適用してもよい。
【符号の説明】
【０１４３】
Ｐ    連続紙
１０    インクジェット記録装置
２０    制御部
３０    記憶部
４０    ヘッド駆動部
５０    印字ヘッド
５０Ｙ、５０Ｍ、５０Ｃ、５０Ｋ    印字ヘッド
６０    レーザ駆動部
７０    レーザ乾燥装置
７０ＬＤ    レーザ素子
８０    給紙ロール
９０    排出ロール
１００    搬送ローラ
１１０    用紙速度検出センサ
１２０    通信回線Ｉ／Ｆ
１３０    操作表示部
１４０    用紙搬送モータ
１５０（Ａ、Ｂ、Ｃ、Ｄ）    パターン
１５２（Ａ１〜Ａｎ）    大ピクセル
１５４（ａ１〜ａ９）    小ピクセル
２０１    ＣＰＵ
２０２    ＲＯＭ
２０２Ｐ    制御プログラム
２０３    ＲＡＭ
２０５    入出力インターフェース（Ｉ／Ｏ）
２０６    バス
【図１】
2019181750.tif 000003
【図２】
2019181750.tif 000004
【図３】
2019181750.tif 000005
【図４】
2019181750.tif 000006
【図５】
2019181750.tif 000007
【図６】
2019181750.tif 000008
【図７】
2019181750.tif 000009
【図８】
2019181750.tif 000010
【図９】
2019181750.tif 000011
【図１０】
2019181750.tif 000012
【図１１】
2019181750.tif 000013
【図１２】
2019181750.tif 000014
【図１３】
2019181750.tif 000015